(57)【要約】【課題】ダビング処理における利便性を向上させる。【解決手段】映像記録装置は、ＡＡＣＳ（Advanced Access Content System）以外の方式によるデータ保護が施されている第１のメディアからＡＡＣＳによるデータ保護が施されている第２のメディアへのダビングが不可である非トラステッドデータの有無を判定し、非トラステッドデータがある場合にそのデータを前記第２のメディアへダビングすることが不可であることを示す属性情報（例えば、非トラステッドアイコン）の表示を行う。【選択図】図７
2007334956.tif 000002
【特許請求の範囲】
【請求項１】
映像データの記録および再生が可能な映像記録装置であって、
ＡＡＣＳ（Advanced Access Content System）以外の方式によるデータ保護が施されている第１のメディアからＡＡＣＳによるデータ保護が施されている第２のメディアへのダビングが不可である非トラステッドデータの有無を判定する手段と、
前記非トラステッドデータがある場合にそのデータを前記第２のメディアへダビングすることが不可であることを示す属性情報の表示を行う手段と、
を具備することを特徴とする映像記録装置。
【請求項２】
ダビングの実行指示があったときに、前記非トラステッドデータがある場合、警告の表示を行うことを特徴とする請求項１記載の映像記録装置。
【請求項３】
前記属性情報は、ダビング操作に使用する画面を表示しているときにだけ表示されることを特徴とする請求項１記載の映像記録装置。
【請求項４】
前記属性情報は、前記非トラステッドデータに該当するサムネイル画像の表示領域内に表示されることを特徴とする請求項１記載の映像記録装置。
【請求項５】
前記属性情報は、アイコンとして表示されることを特徴とする請求項１記載の映像記録装置。
【請求項６】
映像データの記録および再生が可能な映像記録装置に適用される情報表示方法であって、
ＡＡＣＳ（Advanced Access Content System）以外の方式によるデータ保護が施されている第１のメディアからＡＡＣＳによるデータ保護が施されている第２のメディアへのダビングが不可である非トラステッドデータの有無を判定し、
前記非トラステッドデータがある場合にそのデータを前記第２のメディアへダビングすることが不可であることを示す属性情報の表示を行う、
ことを特徴とする情報表示方法。
【請求項７】
ダビングの実行指示があったときに、前記非トラステッドデータがある場合、警告の表示を行うことを特徴とする請求項６記載の情報表示方法。
【請求項８】
前記属性情報は、ダビング操作に使用する画面を表示しているときにだけ表示されることを特徴とする請求項６記載の情報表示方法。
【請求項９】
前記属性情報は、前記非トラステッドデータに該当するサムネイル画像の表示領域内に表示されることを特徴とする請求項６記載の情報表示方法。
【請求項１０】
前記属性情報は、アイコンとして表示されることを特徴とする請求項６記載の情報表示方法。
【発明の詳細な説明】
【技術分野】
【０００１】
本発明は、映像などの記録や再生が可能な映像記録装置及び同装置に適用される情報表示方法に関する。
【背景技術】
【０００２】
近年、放送局から放送される番組の映像データなどをハードディスクもしくは別の光ディスクに録画したり再生したりすることが可能な映像記録装置が広く普及している。
【０００３】
一般に、このような映像記録装置においては、ユーザは例えばユーザインタフェースを通じてハードディスク上の映像データを別の光ディスクにダビングさせることができる。但し、ハードディスクに記憶される個々の映像データの中には、著作権保護などの観点からコピー等が禁止されているものが含まれている場合がある。
【０００４】
なお、ダビングが禁止されていることをユーザに知らせる技術としては、例えば特許文献１が挙げられる。この特許文献１には、カラーテレビジョン放送方式の相違から元々ＤＶＤへのダビングの対象と成り得ないタイトルの代表画像内の脇に禁止マークを表示することが開示されている。
【特許文献１】特開２００５−４４４００号公報（図４など）
【発明の開示】
【発明が解決しようとする課題】
【０００５】
ところで、コンテンツなどに対する著作権保護機能や利便性を一層向上させた技術として、ＡＡＣＳ（Advanced Access Content System）が注目されている。今後、映像データの中には、こうしたＡＡＣＳによるデータ保護が施されていないメディアからＡＡＣＳによるデータ保護が施されたメディアへのダビングが不可であるものが含まれている場合もあり得る。そのことをユーザが知らずにダビングを指示すると、ダビング処理が途中で失敗し、ダビング先の光ディスク（ＨＤ  ＤＶＤ−Ｒなどの１度しか記録できない光ディスク）を無駄にしてしまうことがある。このような問題は、上記特許文献１の技術では解決することができない。
【０００６】
本発明は上記実情に鑑みてなされたものであり、ダビング処理における利便性を向上させた映像記録装置及び情報表示方法を提供することを目的とする。
【課題を解決するための手段】
【０００７】
本発明に係る映像記録装置は、映像データの記録および再生が可能な映像記録装置であって、ＡＡＣＳ（Advanced Access Content System）以外の方式によるデータ保護が施されている第１のメディアからＡＡＣＳによるデータ保護が施されている第２のメディアへのダビングが不可である非トラステッドデータの有無を判定する手段と、前記非トラステッドデータがある場合にそのデータを前記第２のメディアへダビングすることが不可であることを示す属性情報の表示を行う手段とを具備することを特徴とする。
【０００８】
本発明に係る情報表示方法は、映像データの記録および再生が可能な映像記録装置に適用される情報表示方法であって、ＡＡＣＳ（Advanced Access Content System）以外の方式によるデータ保護が施されている第１のメディアからＡＡＣＳによるデータ保護が施されている第２のメディアへのダビングが不可である非トラステッドデータの有無を判定し、前記非トラステッドデータがある場合にそのデータを前記第２のメディアへダビングすることが不可であることを示す属性情報の表示を行うことを特徴とする。
【発明の効果】
【０００９】
ダビング処理における利便性を向上させることができる。
【発明を実施するための最良の形態】
【００１０】
以下、図面を参照して、本発明の実施の形態について詳細に説明する。
【００１１】
図１に、本発明の一実施形態に係る記録再生装置の構成の一例を示す。
【００１２】
映像記録装置１は、記録／再生部１０、データ処理部２０、映像入力部３０、映像出力部４０、録画制御部６０、表示制御部７０および主制御部５０等を含む。
【００１３】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３とデータ処理部２０との間で、圧縮されたデータ（映像コンテンツ、すなわち番組）の転送を行うデータ転送制御部１１を含む。
【００１４】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合には、要求に応じて再生されたデータがデータ処理部２０に出力される。また、上記記録／再生部１０は、ＡＡＣＳに規定されている記録処理や再生処理を実行する機能も備えている。
【００１５】
データ処理部２０は、データ編集部２１、エンコーダ２２、デコーダ２３、および音声映像処理部２４等を含み、映像入力部３０から供給されるデータ（番組）を所定形成に圧縮したのち記録／再生部１０に転送するとともに、再生要求に従って記録／再生部１０から出力されたデータを復号して、映像出力部４０に出力する。また、上記データ処理部２０は、ＡＡＣＳに規定されている暗号化処理や複合化処理などを実行する機能も備えている。
【００１６】
データ編集部２１においては、圧縮されたデータを記録／再生部１０に転送する際に、記録するための区分、例えば図示しないが、任意数のフォルダ（ディレクトリ）のうちの特定されたフォルダに対して、記録対象の番組（データ）を記録が指示されるとともに、その番組に「番組名」や「映画」あるいは「音楽」等の「ジャンル識別名」、「アーティスト（出演者）名」等のデータ特定項目が付加可能である。
【００１７】
エンコーダ２２は、データの符号化（圧縮）を行う装置であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい。
【００１８】
デコーダ２３は、データの復号化（伸長）を行う装置であり、エンコーダ２２による圧縮方法（規格）に対応する復号方法（規格）で、記録／再生部１０から供給されるデータ（番組）を復号（伸長）して、映像出力部４０に向けて出力する。また、デコーダ２３には、周知の分離部が組み込まれてもよい。
【００１９】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ（On Screen Display）ユニット５４により生成される操作用画面表示（ＯＳＤ）が合成される。
【００２０】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）を受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２１】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２２】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２３】
主制御部５０は、上述した記録／再生部１０、データ処理部２０、映像入力部３０および映像出力部４０のそれぞれに加え、以下に説明する録画制御部６０と表示制御部７０とを含む映像記録装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。また、上記ＭＰＵ５２は、必要に応じて、ＡＡＣＳに規定されているアプリケーションやドライバなどのソフトウェアを実行することが可能である。
【００２４】
録画制御部６０は、例えば、録画情報制御部６１、番組表生成部６２、録画予約制御部６３およびタスク記憶部６４等を含む。
【００２５】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組案内情報（Dynamic Electronic Program Guide，以下、Ｄ−ＥＰＧと呼称する）に基づいて、ユーザによる録画予約の設定（入力／解除（消去））や予約情報の変更等が可能である。なお、Ｄ−ＥＰＧとは独立したもので、例えば放送波に、映像コンテンツとともに重畳されているＥＰＧ（Electronic Program Guide）からも、上記さまざまな情報が取得可能である。
【００２６】
番組表生成部６２においては、サーバ１０１からネットワークまたは通信回線により、あるいは放送波に重畳されているＥＰＧ表示のための信号から取得したＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００２７】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００２８】
タスク記憶部６４は、録画予約などに関する各種のタスクの情報を保持し、必要時に参照される。
【００２９】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００３０】
なお、例えばリモコン端末Ｒにより入力される制御コマンドおよび入力情報は、図１に示す本件の映像記録装置１においては、操作部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよい。
【００３１】
リモコン端末Ｒは、映像記録装置１による映像の録画やダビング（コピー、移動）に際して、録画先やダビング先、例えばＨＤＤ１２または光ディスクＤ（光ディスクドライブ部１３）の特定、既に記録されている映像（番組）やそのタイトルまたはデータ特定項目の編集、映像供給元の切り替えおよび予約録画の設定等に代表される各種、制御コマンドならびに入力すべき情報の入力に利用される。
【００３２】
なお、映像記録装置１は、ネットワークコントローラ３４を経由して接続可能なネットワーク網、例えば広く利用されているインターネットを介して接続されるサーバ（情報供給元）１０１と接続可能である。サーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。もちろん、ＥＰＧ向けの情報としては、放送波そのものに重畳されている信号も利用可能である。
【００３３】
図２は、映像記録装置１に備えられる非トラステッドパーツ通知機能を実現するソフトウェアの機能構成の一例を示す図である。なお、以下に示す各種機能の一部をハードウェアで実現してもよい。
【００３４】
非トラステッドパーツ通知機能は、ＭＰＵ５２が実行するソフトウェアにより実現され、属性判定部８１、表示処理部８２、及びアラート処理部８３を含む。
【００３５】
属性判定部８１は、ダビングなどに使用される光ディスクがＡＡＣＳ（Advanced Access Content System）によるデータ保護が施されたもの（以下、「ＡＡＣＳ保護ディスク」と称す）であるか、ＡＡＣＳ以外の方式によるデータ保護が施されたもの（以下、「非ＡＡＣＳ保護ディスク」と称す）であるかを判定することができる。
【００３６】
更に、属性判定部８１は、映像データを構成する個々のパーツ（タイトル、チャプタなど）の属性、例えば、非ＡＡＣＳ保護ディスク（ハードディスクやＤＶＤなど）からＡＡＣＳ保護ディスク（ＨＤ  ＤＶＤなど）へのダビングが不可であるパーツ（以下、「非トラステッドパーツ」と称す）に相当するものであるか否かなどを判定することができる。例えば、映像記録装置１の外部のデジタルチューナからライン入力を通じてハードディスクに録画したタイトルなどは非トラステッドパーツとなる。一方、映像記録装置１に内蔵されるデジタルチューナからハードディスクに録画したタイトルなどは、ＡＡＣＳ保護ディスク（ＨＤ  ＤＶＤなど）へのダビングが可能なトラステッドパーツとなる。
【００３７】
表示処理部８２は、ＧＵＩ（Graphical User Interface）を通じて、ハードディスク上などで管理されているパーツ群のサムネイル画像を含むタイトル一覧画面や、ダビング元のパーツ群及びダビング先のパーツ群のサムネイル画像を含むダビング編集画面（ダビング操作に使用する画面）をテレビ（モニタ）Ｍに表示することができる。また、各表示画面において、各サムネイル画像の領域内にその属性を示す属性情報をアイコンなどの形態で表示することができる。例えば、ダビング対象の映像データの中に上記非トラステッドパーツがある場合には、そのサムネイル画像の領域内に、ダビング先のメディア（ＨＤ  ＤＶＤなど）へのダビングが不可であることを示すアイコン（以下、「非トラステッドアイコン」と称す）の表示を行う。なお、この非トラステッドアイコンは、タイトル一覧表示画面などでも常に表示するようにしても構わないが、非トラステッドパーツの判定処理に一定以上の時間がかかってしまうような場合にはダビング編集画面を表示しているときにだけ表示するようにしてもよい。
【００３８】
アラート処理部８３は、ユーザの操作によるダビングの実行指示（コピーや移動などの実行ボタンの押下）があったときに、ダビング対象の映像データの中に非トラステッドパーツがある場合、ダビングの実行前にユーザに対するアラートとして例えば警告メッセージの表示を行うことができる。
【００３９】
図３は、ダビングの際に使用される光ディスクがＡＡＣＳ保護ディスクと非ＡＡＣＳ保護ディスクのいずれであるかを判定する方法を説明するための図である。
【００４０】
ダビングの際に使用される光ディスクがＡＡＣＳ保護ディスクと非ＡＡＣＳ保護ディスクのいずれであるかは、光ディスク上の予め定められているリードイン領域（lead-in area）に記録された情報に基づいて判定することができる。例えば、ＨＤ  ＤＶＤやＤＶＤの場合には、リードイン領域に記録されているコピー保護情報（copy protection information）の中のコピー保護システム種別（copy protection system type）を参照することにより、その光ディスクがどんな方式によるデータ保護が施されたものであるかを判定することがでがきる。
【００４１】
図４は、非トラステッドパーツの判定に使用する情報を説明するための図である。
【００４２】
あるタイトルがハードディスクに記録される際には、タイトルの本体部分に相当するＶＯＢ（Video Object）やＳＯＢ（Stream Object）などが保管されるほか、そのタイトルを管理するためのタイトル管理情報も保管される。なお、ＶＯＢは、図５に示されるように、多数のＧＯＰ（Group of Pictures）を含むＭＰＥＧ２データで構成され、各ＧＯＰの中にＲＤＩ（Real-time Data Transmission）パケットを有し、その中のＣＣＩ（Copy Control Information）領域内にトラステッドインプット（Trusted Input）の情報を含んでいる。トラステッドインプットの情報は、非トラステッドパーツか否かを示すものである。本実施形態では、タイトルの記録の際にこのトラステッドインプットの情報をタイトル管理情報の中に含めた状態でハードディスク上に記録（もしくは更新）される。
【００４３】
このため、ダビング元がハードディスクである場合には、ＶＯＢなどに含まれる個々のＧＯＰを全て参照するようなことを行わずに、タイトル管理情報の中のトラステッドインプットの情報を参照するだけで、当該タイトルが非トラステッドパーツであるか否かをすぐに判定することができる。
【００４４】
一方、ダビング元がＤＶＤ（但し、ＡＡＣＳ以外のデータ保護、例えばＣＰＲＭ（Content Protection for recordable media）によるデータ保護が施されているもの）である場合には、ＶＯＢもしくはＳＯＢの中のＣＣＩ領域内のトラステッドインプットの情報を参照することによって、当該タイトルが非トラステッドパーツであるか否かを判定することができる。
【００４５】
図６は、ダビング編集画面に含まれる個々のサムネイル画像の表示領域内に表示可能な各種のアイコンを説明するための図である。
【００４６】
ダビング元の個々のタイトルに対応する個々のサムネイル画像の表示領域内には、「タイトル番号」や「タイトル種別」などのほか、該当する場合には、「コピー禁止アイコン」や「非トラステッドアイコン」を表示できるようになっている。「コピー禁止アイコン」は、他のメディアへのコピー（ダビング）が無条件に禁止されていることを示している。「非トラステッドアイコン」は、前述した通り、非ＡＡＣＳ保護ディスク（ハードディスクやＤＶＤなど）からＡＡＣＳ保護ディスク（ＨＤ  ＤＶＤなど）へのダビングが不可である非トラステッドパーツに該当することを示している。
【００４７】
図７は、ダビング編集画面の一例を示す図である。
【００４８】
ダビング編集画面では、ユーザはダビング元のメディア（及びパーツ群）とダビング先のメディア（及びパーツ群）とを指定することができる。各パーツは、サムネイル画像の形態で表示されている。図７の例によれば、ダビング元のパーツに相当するサムネイル画像群（画面の上側に配置されている画像群）のうち、タイトル番号００７のサムネイル画像の領域内に「非トラステッドアイコン」が表示されている様子がわかる。すなわち、タイトル番号００７のタイトルは非トラステッドパーツに該当するため、当該タイトルのダビングが不可であることがわかる。
【００４９】
次に、図８のフローチャートを参照して、属性判定部８１及び表示処理部８２による動作を説明する。
【００５０】
ここでは、タイトル一覧表示などの画面において各タイトルの属性情報（コピー属性など）を表示する場合を想定している。
【００５１】
まず、属性判定部８１は、所定のファイルに格納されているタイトル管理情報を参照し（ステップＳ１１）、対象のタイトルがコピー禁止パーツに該当するか否かを判定する（ステップＳ１２）。コピーフリーのパーツであれば、非トラステッドパーツには該当しないため、表示処理部８２は非トラステッドアイコンの表示を行わない（コピー禁止アイコンの表示も行わない）（ステップＳ１３）。一方、コピー保護が施されているコピー禁止パーツであれば、ドライブの暗号化方式（データ保護方式）を判定する（ステップＳ１４）。
【００５２】
暗号化方式がＡＡＣＳの場合は、非トラステッドパーツには該当しないため、表示処理部８２は非トラステッドアイコンの表示を行わない（ステップＳ１５）。一方、暗号化方式がＡＡＣＳ以外の場合は、ＶＯＢまたはＳＯＢの中に非トラステッドパーツが含まれているか否かを判定する（ステップＳ１６）。
【００５３】
非トラステッドパーツが無ければ、表示処理部８２は非トラステッドアイコンの表示を行わない（ステップＳ１５）。一方、非トラステッドパーツが有れば、表示処理部８２は非トラステッドアイコン（例えば、「HD DVD×」などのアイコン）の表示を行う（ステップＳ１７）。
【００５４】
次に、図９のフローチャートを参照して、アラート処理部８３による動作を説明する。
【００５５】
ここでは、ダビング編集画面においてコピーや移動などの実行ボタンが押された場合を想定している。
【００５６】
ダビング編集画面においてコピーや移動などの実行ボタンが押されると、アラート処理部８３は、属性判定部８１の機能を通じて、ダビングするパーツ毎にコピー保護有りのパーツに対して非トラステッドパーツが含まれているか否かを調べる（ステップＳ２１）。
【００５７】
そして、アラート処理部８３は、ダビング先のディスクがＡＡＣＳ保護ディスクであるか否かを判定する（ステップＳ２２）。非ＡＡＣＳ保護ディスクであれば、アラート（警告メッセージ）の表示は行わずに、ダビング処理を実行する（ステップＳ２３）。一方、ＡＡＣＳ保護ディスクであれば、非トラステッドパーツの有無を判定する（ステップＳ２４）。
【００５８】
非トラステッドパーツが無ければ、アラート（警告メッセージ）の表示は行わずに、ダビング処理を実行する（ステップＳ２３）。一方、非トラステッドパーツが有れば、アラート（警告メッセージ）の表示（例えば、ＡＡＣＳ保護ディスクがＨＤ  ＤＶＤの場合、「HD DVDに記録できないパーツが含まれているため、実行できません。」というメッセージの表示）を行う（ステップＳ２５）。
【００５９】
このように本実施形態によれば、映像データの中にＡＡＣＳによるデータ保護が施されていないメディアからＡＡＣＳによるデータ保護が施されたメディアへのダビングが不可なパーツが含まれている場合には、該当するサムネイル画像の表示領域内に非トラステッドアイコンが表示されるため、ユーザはその旨を簡単に認識することができる。このため、ユーザがダビング操作を行う際に、ダビング処理が途中で失敗してダビング先の光ディスク（ＨＤ  ＤＶＤ−Ｒなどの１度しか記録できない光ディスク）を無駄にしてしまうような事態を避けることができる。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】本発明の一実施形態に係る記録再生装置の構成の一例を示す図。
【図２】映像記録装置に備えられる非トラステッドパーツ通知機能を実現するソフトウェアの機能構成の一例を示す図。
【図３】ダビングの際に使用される光ディスクがＡＡＣＳ保護ディスクと非ＡＡＣＳ保護ディスクのいずれであるかを判定する方法を説明するための図。
【図４】非トラステッドパーツの判定に使用する情報を説明するための図。
【図５】ＶＯＢの構成を説明するための図。
【図６】ダビング編集画面に含まれる個々のサムネイル画像の表示領域内に表示可能な各種のアイコンを説明するための図。
【図７】ダビング編集画面の一例を示す図。
【図８】属性判定部及び表示処理部による動作を示すフローチャート。
【図９】アラート処理部による動作を示すフローチャート。
【符号の説明】
【００６２】
１…映像記録装置、１０…記録／再生部、２０…データ処理部、３０…映像入力部、４０…映像出力部、５０…主制御部、６０…録画制御部、７０…表示制御部、８１…属性判定部、８２…表示処理部、８３…アラート処理部。
【図１】
2007334956.tif 000003
【図２】
2007334956.tif 000004
【図３】
2007334956.tif 000005
【図４】
2007334956.tif 000006
【図５】
2007334956.tif 000007
【図６】
2007334956.tif 000008
【図７】
2007334956.tif 000009
【図８】
2007334956.tif 000010
【図９】
2007334956.tif 000011